(57)【特許請求の範囲】
【請求項１】
１本の棒材を横向きに収容する１つ以上の棒材収容室が形成され、前記棒材収容室の長手方向の一方の端部が開放した容器本体と、
前記棒材収容室内に長手方向に沿って設けられて前記棒材を支持する複数のアイドルローラと、
前記棒材収容室の開放された側の前記一方の端部に設けられて棒材取り出し経路を横切って突出可能なストッパと、
前記棒材収容室の長手方向の他方の端部に設けられた緩衝部材と、
を備え、
前記ストッパは、前記棒材収容室の前記一方の端部の開口縁から長手方向外側に延出する延出板における前記開口縁より長手方向外側の位置に、前記棒材取り出し経路を横切る突出状態と前記棒材取り出し経路を横切らない没入状態とに切り替え可能に設けられたことを特徴とする棒材収容容器。
【請求項２】
前記容器本体は、隔壁により仕切られた複数の前記棒材収容室が併設されたことを特徴とする請求項１に記載の棒材収容容器。
【請求項３】
前記容器本体は、別の前記容器本体を積層したときの積層状態を保持するための位置規制機構を備えたことを特徴とする請求項１又は２に記載の棒材収容容器。
【発明の詳細な説明】
【技術分野】
【０００１】
本発明は、棒材収容容器に関する。
【背景技術】
【０００２】
金属棒等の棒材をまとめて収容したり、搬送したりするには、収容容器内に棒材を収容して、収容容器ごと搬送するのが便利である。
棒材の収容容器としては、下記特許文献１に記載のものが知られている。
【先行技術文献】
【特許文献】
【０００３】
【特許文献１】特開２００８−１１０４４８号公報
【発明の概要】
【発明が解決しようとする課題】
【０００４】
収容容器内に収容した棒材を作業現場で作業者が人手により取り出して、所定の作業を行うには、特許文献１に記載のように、上部が開放した収容容器に棒材を収容しておくことが好ましい。
【０００５】
しかし、長尺の金属製棒材を収容容器の上から取り出す構成の場合、棒材は重いので取り出しにくいという問題がある。
【０００６】
また、特許文献１のように、収容容器内に棒材を積層状態で収容した場合、底部にある棒材は、その上に積層された多数の棒材の重量で変形するおそれがある。また、棒材どうしが接触状態で収容されるので、棒材を収容容器内に積層する時、又は棒材を収容した収容容器を移送中に、棒材の表面が傷つくおそれがある。
【０００７】
例えば、電気的接続に用いられるアルミニウム製の棒材の場合、特許文献１のような構成では、棒材が変形したり、棒材の表面が傷付いたりすると、電気的性能に影響を及ぼしてしまうので、好ましくない。
【０００８】
そこで、本発明の目的は、上記課題を解消することに係り、棒材を容易に取り出すことができるとともに棒材の損傷を防止する棒材収容容器を提供することにある。
【課題を解決するための手段】
【０００９】
本発明の前述した目的は、下記の構成により達成される。
（１）  １本の棒材を横向きに収容する１つ以上の棒材収容室が形成され、前記棒材収容室の長手方向の一方の端部が開放した容器本体と、
前記棒材収容室内に長手方向に沿って設けられて前記棒材を支持する複数のアイドルローラと、
前記棒材収容室の開放された側の前記一方の端部に設けられて棒材取り出し経路を横切って突出可能なストッパと、
前記棒材収容室の長手方向の他方の端部に設けられた緩衝部材と、
を備え、
前記ストッパは、前記棒材収容室の前記一方の端部の開口縁から長手方向外側に延出する延出板における前記開口縁より長手方向外側の位置に、前記棒材取り出し経路を横切る突出状態と前記棒材取り出し経路を横切らない没入状態とに切り替え可能に設けられたことを特徴とする棒材収容容器。
【００１０】
（２）  前記容器本体は、隔壁により仕切られた複数の前記棒材収容室が併設されたことを特徴とする上記（１）に記載の棒材収容容器。
【００１１】
（３）  前記容器本体は、別の前記容器本体を積層したときの積層状態を保持するための位置規制機構を備えたことを特徴とする上記（１）又は（２）に記載の棒材収容容器。
【００１２】
上記（１）の構成によれば、棒材は、棒材収容室内でアイドルローラにより支持されるので、アイドルローラ上で容易に移動可能である。したがって、ストッパを解除して、ストッパを棒材収容室内に突出しないように待避させることで、棒材を持ち上げることなく、手動で棒材を容器本体から容易に取り出すことができる。
【００１３】
また、容器本体を、ストッパが設けられた一側を反対側よりも低くなるように設置しておくことで、ストッパを解除するだけで、棒材は自重でアイドルローラ上を滑落するので、棒材に触れることなく容器本体から容易に取り出すことができる。
【００１４】
また、各棒材収容室には１本の棒材が収容されるだけなので、棒材が他の棒材に接することによる損傷を防止することができる。
【００１５】
上記（２）の構成によれば、容器本体が多数の棒材を収容可能でありながらも、棒材どうしは接触しない。したがって、棒材を効率良く収容するとともに、棒材どうしの接触による損傷を防止することができる。
【００１６】
上記（３）の構成によれば、複数の棒材収容容器を積層状態に整列して保持することができるので、棒材収容容器の保管、搬送時の取り扱いに便利である。
【発明の効果】
【００１７】
本発明による棒材収容容器によれば、棒材を容易に取り出すことができるとともに棒材の損傷を防止することができる。
【００１８】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００１９】
【図１】図１は本発明の一実施形態である棒材収容容器の斜視図である。
【図２】図２は図１の棒材収容容器を積層した状態の斜視図である。
【図３】図３は図２のＡ矢視図である。
【図４】図４は図３のＢ−Ｂ断面図である。
【発明を実施するための形態】
【００２０】
以下、本発明に係る棒材収容容器の好適な実施形態について、図面を参照して詳細に説明する。
【００２１】
図１〜図４は本発明に係る棒材収容容器の一実施形態を示したもので、図１は一実施形態である棒材収容容器の斜視図、図２は図１の棒材収容容器を積層した状態の斜視図、図３は図２のＡ矢視図、図４は図２のＢ−Ｂ断面図である。
【００２２】
この第１実施形態の棒材収容容器１０は、車両における電気接続に用いられるアルミニウム製の棒材（直径１５ｍｍ）１２を収容するものであり、棒材１２の保管、配索作業現場への搬送、配索作業現場での作業に用いられる。
【００２３】
第１実施形態の棒材収容容器１０は、１本の棒材１２を横向きに収容する、複数（本実施形態では５つ）の棒材収容室１４が形成された容器本体１６を備えている。棒材収容室１４は、長手方向（図１の矢印Ｘ方向）の一方の端部（図４において左側）が開放している。複数の棒材収容室１４は、隔壁１８により仕切られている。棒材収容容器１０は、各棒材収容室１４内に、長手方向に沿って棒材１２を支持する複数のアイドルローラ２０（図４参照）を備えている。棒材収容室１４内において、棒材１２は複数のアイドルローラ２０により支持されて収容され、アイドルローラ２０の共通接線方向に沿って移動されて取り出される。アイドルローラ２０は、棒材１２との接触によっても棒材１２を傷付けないように、ゴム又は軟質樹脂で形成されている。アイドルローラ２０は、棒材収容室１４ごとに独立に回転可能になっている。
【００２４】
また、棒材収容容器１０は、棒材収容室１４の開放された側の長手方向の一方の端部１４ａに、棒材取り出し経路Ｘ（図４参照）を横切って矢印Ｚ方向に突出可能なストッパ２２を備えている。
【００２５】
ストッパ２２は、公知の出没機構により突出状態及び没入状態が保持され、棒材取り出し経路Ｘに突出したり後退したりできるようになっている。ストッパ２２が棒材取り出し経路Ｘを横切って突出した状態では、収容されている棒材１２の端面の位置がストッパ２２により規制されるので、棒材１２がアイドルローラ２０上を滑動して棒材収容室１４から外に出ることがない。棒材１２を保管及び搬送中は、ストッパ２２は棒材取り出し経路Ｘを横切って突出した状態に保持される。
【００２６】
また、棒材収容容器１０は、棒材収容室１４の長手方向の他方の端部１４ｂに、緩衝部材２４を備えている。緩衝部材２４は、棒材１２を棒材収容室１４内に開放側の端部１４ａから挿入した際に、棒材１２が容器本体１６の奥壁１６ａに直接突き当たることを防止するものである。緩衝部材２４は、棒材１２との接触によっても棒材１２を傷付けないように、ゴム又は軟質樹脂で形成されている。
【００２７】
容器本体１６の底面には一対の脚部２６が設けられている。容器本体１６の両側壁１６ｂの上面には、別の棒材収容容器１０の脚部２６が遊嵌することができる溝２８が形成されている。本発明における位置規制機構は、脚部２６と溝２８とで構成されている。
【００２８】
複数の棒材収容容器１０を積層する場合、下に位置する棒材収容容器１０の両側壁１６ｂの溝に、上に位置する棒材収容容器１０の脚部２６を入れることで、積層した棒材収容容器１０を整列して保持することができる。
【００２９】
作業現場において、棒材収容容器１０から棒材１２を取り出して棒材１２に加工を施すには、ストッパ２２を押し下げた状態に維持して棒材１２を引き出し可能にする。作業者は、棒材１２を手動でアイドルローラ２０上を滑動させることで、棒材１２を容易に引き出すことができる。
【００３０】
また、棒材収容容器１０をあらかじめ前傾状態に設置しておくと、ストッパ２２を押し下げただけで、棒材１２が自重により滑落するので、棒材１２を容易に取り出すことができる。
【００３１】
以上に説明した本実施形態の棒材収容容器１０の構成によれば、棒材１２は、棒材収容室１４内でアイドルローラ２０により支持されるので、アイドルローラ２０上で容易に移動可能である。したがって、ストッパ２２を押し下げて、ストッパ２２を棒材取り出し経路Ｘに突出しないように待避させることで、棒材１２を持ち上げることなく、手動で棒材１２を容器本体１６から容易に取り出すことができる。
【００３２】
また、容器本体１６を、ストッパ２２が設けられた一側を反対側よりも低くなるように設置しておくことで、ストッパ２２を押し下げるだけで、棒材１２は自重でアイドルローラ２０上を滑落する。これにより、棒材１２に触れることなく容器本体１６から容易に取り出すことができる。
【００３３】
また、各棒材収容室１４には１本の棒材１２が収容されるだけなので、棒材１２が他の棒材１２に接することによる損傷を防止することができる。
【００３４】
本実施形態のように、電気接続用に用いられるアルミニウム製の棒材１２では、棒材１２が変形したり、棒材１２の表面が傷付いたりすると、電気的性能に影響を及ぼしてしまう。しかし、本実施形態の棒材収容容器１０によれば、棒材１２の損傷を防止することができるので、棒材１２の電気的性能が変化することがない。
【００３５】
また、本実施形態の棒材収容容器１０の構成によれば、容器本体１６が多数の棒材１２を収容可能でありながらも、棒材１２どうしは接触しない。したがって、棒材１２を効率良く収容するとともに、棒材１２どうしの接触による損傷を防止することができる。
【００３６】
また、本実施形態の棒材収容容器１０の構成によれば、複数の棒材収容容器１０を積層状態に整列して保持することができるので、棒材収容容器１０の保管、搬送時の取り扱いに便利である。
【００３７】
また、最上段の棒材収容容器１０から棒材１２を取り出した後、空になった棒材収容容器１０を最下段にして積み替えることで、常に最上段の棒材収容容器１０から棒材１２を取り出すことができる。これにより、取り出し作業のし難い下位に積層された棒材収容容器１０から棒材１２を取り出す作業をなくすことができる。
【００３８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３９】
例えば、棒材１２は、上記実施形態のアルミニウム製の棒材１２でなくてもよく、どのような材料の棒材１２であってもよい。
【００４０】
また、容器本体１６を、ストッパ２２が設けられた一側を反対側よりも低くなるように前傾姿勢に設置するための構成を付加してもよい。
【００４１】
ここで、上述した本発明に係る棒材収容容器の実施形態の特徴をそれぞれ以下［１］〜［３］に簡潔に纏めて列記する。
【００４２】
［１］  １本の棒材（１２）を横向きに収容する１つ以上の棒材収容室（１４）が形成され、前記棒材収容室（１４）の長手方向の一方の端部（１４ａ）が開放した容器本体（１６）と、
前記棒材収容室（１４）内に長手方向に沿って設けられて前記棒材（１２）を支持する複数のアイドルローラ（２０）と、
前記棒材収容室（１４）の開放された側の前記一方の端部（１４ａ）に設けられて棒材取り出し経路（Ｘ）を横切って突出可能なストッパ（２２）と、
前記棒材収容室（１４）の長手方向の他方の端部（１４ｂ）に設けられた緩衝部材（２４）と、
を備えたことを特徴とする棒材収容容器（１０）。
【００４３】
［２］  前記容器本体（１６）は、隔壁（１８）により仕切られた複数の前記棒材収容室（１４）が併設されたことを特徴とする上記［１］に記載の棒材収容容器（１０）。
【００４４】
［３］  前記容器本体（１６）は、別の前記容器本体（１６）を積層したときの積層状態を保持するための位置規制機構（脚部２６，溝２８）を備えたことを特徴とする上記［１］又は［２］に記載の棒材収容容器（１０）。
【符号の説明】
【００４５】
１０  棒材収容容器
１２  棒材
１４  棒材収容室
１６  容器本体
１８  隔壁
２０  アイドルローラ
２２  ストッパ
２４  緩衝部材
２６  脚部
２８  溝
【図１】
0006614801.tif 000002
【図２】
0006614801.tif 000003
【図３】
0006614801.tif 000004
【図４】
0006614801.tif 000005